(57)【要約】      （修正有）【課題】壁の下部に設けたコンセントが家具の陰に隠れることを防止するシステム家具の提供。【解決手段】システム家具は、複数の家具を室内の壁ＷＡに沿わせて横並びで配置してなる。複数の家具の一つとして、天板１０の下側が収納空間ＳＳに構成される天板付き家具１を備える。天板付き家具１における天板１０の奥下側に、天板付き家具１の背面側を壁ＷＡに沿わせて配置した状態で壁ＷＡの下部に設けたコンセントＥＯを収納空間ＳＳに臨ませ得る開口部１６を形成するように、幕板１４が配置される。【選択図】図２
2020000728.tif 000002
【特許請求の範囲】
【請求項１】
複数の家具を室内の壁に沿わせて横並びで配置してなるシステム家具であって、
前記複数の家具の一つとして、天板の下側が収納空間に構成される天板付き家具を備え、
前記天板付き家具における前記天板の奥下側には、前記天板付き家具の背面側を前記壁に沿わせて配置した状態で前記壁の下部に設けたコンセントを前記収納空間に臨ませ得る開口部を形成するように、幕板が配置されている、
システム家具。
【請求項２】
前記天板付き家具における前記天板の上側が作業空間に構成されている、
請求項１に記載のシステム家具。
【請求項３】
前記天板付き家具の前記作業空間内には、物品を取り付け可能な可動バーが上下高さ調節可能に配置されている、
請求項２に記載のシステム家具。
【請求項４】
前記天板付き家具は、前記天板を下方から支持する左右一対の側板脚を備え、
前記左右一対の側板脚のうち少なくとも一方の内面側にブラケットダクトを取り付け、前記ブラケットダクトの前面側にコンセントを取り付けている、
請求項１〜３のうちいずれかに記載のシステム家具。
【請求項５】
前記ブラケットダクトの背面側は、平面断面視において、これが取り付く前記側板脚に近づくに連れて前後巾が長くなるように傾斜している、
請求項４に記載のシステム家具。
【発明の詳細な説明】
【技術分野】
【０００１】
本発明は、複数の家具を室内の壁に沿わせて横並びで配置してなるシステム家具に関するものである。
【背景技術】
【０００２】
従来、病院等の医療機関において、ナースステーションや処置室等に配置されるシステム家具が知られている（例えば特許文献１等参照）。この種のシステム家具では、限られた室内空間を有効利用して多くの物を収納したり患者への調剤準備をしたりできるように、複数の家具をナースステーション等の室内の壁に沿わせて横並びで配置した構成になっている。
【先行技術文献】
【特許文献】
【０００３】
【特許文献１】実用新案登録第２５８７２１６号公報
【発明の概要】
【発明が解決しようとする課題】
【０００４】
ところで、近年の医療機関においては、カルテやレントゲン写真等の電子化が広く進んでいて、ノートパソコンに代表される電子機器は、看護師や医療従事者にとって必須のツール（アイテム）になっている。このため、各種電子機器に対する電源の確保は、極めて重要である。ナースステーション等の室内では、壁に設けたコンセントが各種電子機器の給充電に利用される場合が多い。
【０００５】
しかし、前記従来のシステム家具では、複数の家具を室内の壁に沿わせて横並びで配置しているため、システム家具が沿わせた壁の大部分を覆ってしまうことになり、壁に設けたコンセントが家具の陰に隠れて使えないことが多いという問題があった。
【課題を解決するための手段】
【０００６】
本発明は、上記のような現状を検討して改善を施したシステム家具を提供することを技術的課題としている。
【０００７】
本発明は、複数の家具を室内の壁に沿わせて横並びで配置してなるシステム家具であって、前記複数の家具の一つとして、天板の下側が収納空間に構成される天板付き家具を備え、前記天板付き家具における前記天板の奥下側には、前記天板付き家具の背面側を前記壁に沿わせて配置した状態で前記壁の下部に設けたコンセントを前記収納空間に臨ませ得る開口部を形成するように、幕板が配置されているというものである。
【０００８】
本発明のシステム家具において、前記天板付き家具における前記天板の上側が作業空間に構成されるようにしてもよい。
【０００９】
本発明のシステム家具において、前記天板付き家具の前記作業空間内には、物品を取り付け可能な可動バーが上下高さ調節可能に配置されていてもよい。
【００１０】
本発明のシステム家具において、前記天板付き家具は、前記天板を下方から支持する左右一対の側板脚を備え、前記左右一対の側板脚のうち少なくとも一方の内面側にブラケットダクトを取り付け、前記ブラケットダクトの前面側にコンセントを取り付けるようにしてもよい。
【００１１】
また、本発明のシステム家具において、前記ブラケットダクトの背面側は、平面断面視において、これが取り付く前記側板脚に近づくに連れて前後巾が長くなるように傾斜していてもよい。
【発明の効果】
【００１２】
本発明によると、天板付き家具における天板の奥下側に開口部を形成しているので、天板付き家具の配置箇所によっては、壁の下部に設けたコンセントを収納空間に臨ませる（コンセントを収納空間に向けて露出させる）ことが可能になる。このため、収納空間に臨むコンセントを各種電子機器の給充電に簡単に有効利用できる。
【図面の簡単な説明】
【００１３】
【図１】実施形態におけるシステム家具の正面図である。
【図２】天板付き家具を右前方から見た斜視図である。
【図３】天板付き家具を左後方から見た斜視図である。
【図４】天板付き家具の正面図である。
【図５】ブラケットダクトの平面断面図である。
【図６】（ａ）はフレーム枠の縦フレーム部と化粧パネルとの関係を示す拡大正面図、（ｂ）は可動バーと縦フレーム部との係合状態を示す拡大側面断面図である。
【図７】天板付き家具における幕板の別例を示す正面図である。
【発明を実施するための形態】
【００１４】
次に、本発明を具体化した実施形態を図面に基づき説明する。実施形態は、例えば医療機関のナースステーションに配置されたシステム家具ＳＦに適用したものである。
【００１５】
実施形態のシステム家具ＳＦは、複数の家具１，２，２をナースステーション内の壁ＷＡに沿わせて横並びで配置したものである。図１には、複数の家具１，２，２の一例として、天板１０を挟んで上側を作業空間ＷＳに下側を収納空間ＳＳに構成した天板付き家具１と、天板付き家具１の左右両側に配置した縦長のキャビネット２，２とを備えている。
【００１６】
キャビネット２は、前面側を開口した縦長箱状のものである。前面側の開口部は、観音開き式の二つの扉３で開閉可能に塞いでいる。キャビネット２は、観音開き式の扉３，３と反対側にある背板をナースステーション内の壁ＷＡに沿わせて配置される。
【００１７】
システム家具ＳＦを構成する家具としては、実施形態の天板付き家具１や扉３付きのキャビネット２に限らず、例えば抽斗付きのキャビネットや収納棚など、様々な用途の家具を採用できる。また、家具の個数も三つに限らず、二つでも良いし、四つ以上であっても差し支えないことは言うまでもない。
【００１８】
図２〜図４に示すように、天板付き家具１は、前向き及び下向きに開口した机体１１と、当該机体１１上に着脱可能に配置した戸棚体２１とを備えている。机体１１は、左右一対の側板脚１２，１２と、左右側板脚１２，１２の上端側に取り付けた水平姿勢の上面板１３と、左右側板脚１２，１２の奥側間に装架した鉛直姿勢の幕板１４とを備えている。上面板１３上には、これに重なる化粧板１５を取り付けている。化粧板１５と上面板１３とで天板付き家具１の天板１０を構成している。
【００１９】
実施形態の天板付き家具１では、戸棚体２１と化粧板１５とで囲われた前向き開口の空間が作業空間ＷＳに、上面板１３の下側が収納空間ＳＳになっている。図示は省略するが、収納空間ＳＳには、例えばナースカートや袖抽斗（ワゴン）、又は椅子等を入れる（収納する）ことが可能である。天板付き家具１は、ナースステーション内の壁ＷＡに幕板１４を沿わせて配置される。
【００２０】
左右側板脚１２，１２の奥側間に装架した幕板１４は、天板付き家具１の背面側を壁ＷＡに沿わせて配置した状態で壁ＷＡの下部に設けた商用電源のコンセントＥＯを収納空間ＳＳに臨ませ得る開口部１６を形成するように、上面板１３の奥下側に位置している。実施形態では、幕板１４の上下高さを左右側板脚１２，１２の上下高さよりも短く設定している。そして、幕板１４の上端側を上面板１３の奥下側に寄せて配置することによって、幕板１４の下方に開口部１６が形成されている。
【００２１】
このため、天板付き家具１の配置箇所によっては、壁ＷＡの下部に設けたコンセントＥＯを収納空間ＳＳに臨ませることが可能になる。つまり、壁ＷＡのうちコンセントＥＯのある箇所に天板付き家具１を沿わせて配置すれば、壁ＷＡのコンセントＥＯが開口部１６内に収まり、コンセントＥＯが収納空間ＳＳに向けて露出することになる。その結果、ナースカートや化粧板１５上等に配置される各種電子機器の給充電に、収納空間ＳＳに臨むコンセントＥＯを簡単に有効利用できる。幕板１４を存在させることによって、机体１１ひいては天板付き家具１の強度向上にも貢献できる。また、壁ＷＡの下部に設けたコンセントＥＯを有効利用できるものでありながら、天板付き家具１を壁ＷＡにきっちり沿わせて配置でき、例えば地震対応のための倒れ防止金具で天板付き家具１と壁ＷＡとを連結する施工をスムーズに行うことも可能になる。
【００２２】
実施形態の幕板１４は横長矩形板状のものであるが、幕板１４の形状はこれに限るものではない。例えば図７に示すように、幕板１４の上下高さを左右側板脚１２，１２の上下高さと同程度に設定し、幕板１４の下半部に開口部１６を形成してもよい。机体１１の奥側に開口部１６が形成され壁ＷＡの下部にあるコンセントＥＯを露出できるような幕板１４の形状になっていれば足りる。
【００２３】
図２、図４及び図５に示すように、各側板脚１２の左右内面側にはブラケットダクト１７が取り付けられている。ブラケットダクト１７は縦長樋状のものである。ブラケットダクト１７の前後の開口縁部には、左右外向きに突出した下向き鉤状の係合爪１８が上下に複数個形成されている一方、各側板脚１２の左右内面側には、対応する係合爪１８を嵌め込む係合スリット１９が前後二列で上下複数個形成されている。各係合爪１８を対応する係合スリット１９に落とし込み係合することによって、各側板脚１２の左右内面側にブラケットダクト１７が着脱可能に取り付けられる。ブラケットダクト１７の前面側には、コンセント２０が取り付けられている。実施形態では、ブラケットダクト１７の前面上部に形成した開口に、コンセント２０が嵌め込み固定されている。
【００２４】
このように構成すると、収納空間ＳＳ内に収納したナースカート等にある各種電子機器のそばにコンセント２０が位置することになり、各種電子機器の給充電作業を簡単に行えるという利点がある。また、天板１０（化粧板１５及び上面板１３）の前縁部にコンセント２０を配置したりしないので、天板１０（化粧板１５及び上面板１３）をさほど厚く設定する必要がなく、収納空間ＳＳをできるだけ上下に大きく取って、ナースカート等の収納性向上にも貢献できる。
【００２５】
ブラケットダクト１７の上端側は上向きに開口している。同様に、ブラケットダクト１７の下端側は下向きに開口している。コンセント２０から延びる電源ケーブル３３は、ブラケットダクト１７の上端開口部から引き出して、収納空間ＳＳに向けて露出した商用電源のコンセントＥＯに接続したり、ブラケットダクト１７の下端開口部から引き出して商用電源のコンセントＥＯに接続したりすることが可能である。このため、コンセント２０から延びる電源ケーブル３３をすっきりとした状態で配線できる。
【００２６】
図５に示すように、ブラケットダクト１７の背面側は、平面断面視において、これが取り付く側板脚１２の内面に近づくに連れて前後巾が長くなるように傾斜している。つまり、ブラケットダクト１７における左右内側の奥コーナー部１７ａは、平面断面視で鈍角に設定されている。このように構成すると、収納空間ＳＳ内に収納したナースカート等を引き出すに際して、奥コーナー部１７ａが鈍角であるため、引き出されるナースカート等が奥コーナー部１７ａに引っかかるおそれを格段に少なくでき、ナースカート等の引き出しをスムーズに行える。
【００２７】
図２、図４及び図６に示すように、机体１１上に着脱可能に配置した戸棚体２１は、化粧板１５上の奥側に立設した矩形枠状（口字枠状）のフレーム枠２２と、化粧板１５上の左右両側に立設した一対の側板２３，２３と、フレーム枠２２の上端に固定され左右一対の側板にも支持された前向き開口横長箱状の戸棚２４とを備えている。戸棚２４の前面開口部には、観音開き式の二つの扉２５を二組設けている。戸棚２４の前面開口部は、二組の観音開き式の扉２５，２５，２５，２５で開閉可能に塞いでいる。フレーム枠２２における左右一対の縦フレーム部２６には、対応する左右の側板２３の内面奥側を連結している。
【００２８】
フレーム枠２２における枠内の開口部分は化粧パネル２７で覆われている。化粧パネル２７の左右巾はフレーム枠２２の左右巾よりも若干短く設定されている。このため、左右の縦フレーム部２６のうち左右外側の前コーナー部２６ａが作業空間ＷＳに向けて露出している（図６（ａ）参照）。各縦フレーム部２６の前コーナー部２６ａには、上下適宜ピッチで係合穴２６ｂの群が多数形成されている。
【００２９】
天板付き家具１の作業空間ＷＳには、水平状の可動バー２８が上下高さ調節可能に配置されている。実施形態の可動バー２８は、化粧パネル２７の前方に位置している。可動バー２８には、モニター３０や輸液パックを吊り下げるフック等の物品を取り付けることが可能になっている。図６（ａ）（ｂ）に示すように、実施形態では、可動バー２８の左右両端部に、奥向きに突出した下向き鉤状の係止爪２８ａが形成されている。各係止爪２８ａをこれに対応する縦フレーム部２６の係合穴２６ｂに落とし込み係合することによって、化粧パネル２７の前方に可動バー２８が上下高さ調節可能に取り付けられる。このように構成すると、作業空間ＷＳ内の天板１０（化粧板１５）上を広く使え、作業性向上に寄与する。
【００３０】
図２に示すように、天板１０（化粧板１５及び上面板１３）の奥側には、収納空間ＳＳと作業空間ＷＳとを連通させる上下貫通状の挿通穴３１が形成されている。可動バー２８に取り付けたモニター３０から延びる電源ケーブル３２や、天板１０（化粧板１５）上に配置した電子機器の電源ケーブル（図示省略）等は、挿通穴３１を通過させて、収納空間ＳＳに向けて露出した商用電源のコンセントＥＯに接続することが可能である。このため、電源ケーブル３２を床や天板１０（化粧板１５）上に散乱させることなく、すっきりとした状態で配線できる。
【００３１】
なお、本発明における各部の構成は図示の実施形態に限定されるものではなく、本発明の趣旨を逸脱しない範囲で種々変更可能である。天板付き家具１は、天板１０の下側が収納空間ＳＳに構成されたものであれば足りる。従って、机体１１上に着脱可能に配置されるものは、戸棚体２１に限らず、収納棚でもよいし、キャビネットでもよい。
【符号の説明】
【００３２】
ＳＦ  システム家具
ＷＡ  壁
ＷＳ  作業空間
ＳＳ  収納空間
ＥＯ  （壁の下部に設けた）コンセント
１  天板付き家具
２  キャビネット
３  扉
１０  天板
１１  机体
１２  側板脚
１３  上面板
１４  幕板
１５  化粧板
１６  開口部
１７  ブラケットダクト
１７ａ  奥コーナー部
１８  係合爪
１９  係合スリット
２０  コンセント
２１  戸棚体
２２  フレーム枠
２３  側板
２４  戸棚
２５  扉
２６  縦フレーム部
２６ａ  前コーナー部
２６ｂ  係合穴
２７  化粧パネル
２８  可動バー
２８ａ  係止爪
３０  モニター
３１  挿通穴
３２，３３  電源ケーブル
【図１】
2020000728.tif 000003
【図２】
2020000728.tif 000004
【図３】
2020000728.tif 000005
【図４】
2020000728.tif 000006
【図５】
2020000728.tif 000007
【図６】
2020000728.tif 000008
【図７】
2020000728.tif 000009